【手続補正書】
【提出日】平成17年1月7日(2005.1.7)
【手続補正１】
【補正対象書類名】明細書
【補正対象項目名】特許請求の範囲
【補正方法】変更
【補正の内容】
【特許請求の範囲】
【請求項１】
下式１で表される光学活性化合物。
R1-Pn-C*HX-CH2-A2-(A3)m-R2・・式１
ただし、式中の記号は下記の意味を示す。
Ｒ1 ：水素原子。
Ｒ2 ：炭素−炭素結合間に酸素原子が挿入されていてもよく、水素原子の１個以上がフッ素原子に置換されていてもよい炭素数１〜１０の１価脂肪族炭化水素基、水素原子、ハロゲン原子またはシアノ基。
Ｐｎ：水素原子の１個以上がハロゲン原子に置換されていてもよい１，４−フェニレン基。
Ａ2 、Ａ3 ：相互に独立して、非置換のトランス−１，４−シクロヘキシレン基、または、水素原子の１個以上がハロゲン原子に置換されていてもよい１，４−フェニレン基。
Ｃ* ：不斉炭素原子。
Ｘ：フッ素原子、メチル基またはトリフルオロメチル基。
ｍ：０または１。
【請求項２】
式１で表される化合物が下式２〜７のいずれかで表される化合物である請求項１記載の光学活性化合物。
R1-Pn-C*HX-CH2-Pn1-R2 ・・・・式２
R1-Pn-C*HX-CH2-Cy-R2・・・・・式３
R1-Pn-C*HX-CH2-Pn1-Pn2-R2 ・・式４
R1-Pn-C*HX-CH2-Pn1-Cy-R2・・・式５
R1-Pn-C*HX-CH2-Cy-Pn1-R2・・・式６
R1-Pn-C*HX-CH2-Cy-Cy-R2 ・・・式７
ただし、式中のＰｎ、Ｐｎ1 、Ｐｎ2 はそれぞれ相互に独立して、水素原子の１個以上がハロゲン原子に置換されていてもよい１，４−フェニレン基、Ｃｙは非置換のトランス−１，４−シクロヘキシレン基を示す。
【請求項３】
請求項１または２記載の光学活性化合物を、合量で０．１〜１０重量％含有する液晶組成物。
【請求項４】
請求項３記載の液晶組成物を用いた液晶電気表示素子。
【手続補正２】
【補正対象書類名】明細書
【補正対象項目名】０００７
【補正方法】変更
【補正の内容】
【０００７】
ただし、式中の記号は本明細書を通じて下記の意味を示す。
Ｒ1 ：水素原子。
Ｒ2 ：炭素−炭素結合間に酸素原子が挿入されていてもよく、水素原子の１個以上がフッ素原子に置換されていてもよい炭素数１〜１０の１価脂肪族炭化水素基、水素原子、ハロゲン原子またはシアノ基。
Ｐｎ、Ｐｎ1 、Ｐｎ2 ：それぞれ相互に独立して、水素原子の１個以上がハロゲン原子に置換されていてもよい１，４−フェニレン基。
Ａ2 、Ａ3 ：相互に独立して、非置換のトランス−１，４−シクロヘキシレン基、または、水素原子の１個以上がハロゲン原子に置換されていてもよい１，４−フェニレン基。
Ｃｙ：非置換のトランス−１，４−シクロヘキシレン基。
Ｃ* ：不斉炭素原子。
Ｘ：フッ素原子、メチル基またはトリフルオロメチル基。
ｍ：０または１。
【手続補正３】
【補正対象書類名】明細書
【補正対象項目名】００１０
【補正方法】変更
【補正の内容】
【００１０】
化合物（式１）において、Ｒ1 は、水素原子である。
【手続補正４】
【補正対象書類名】明細書
【補正対象項目名】００１９
【補正方法】変更
【補正の内容】
【００１９】
化合物（式２Ａ）の具体例としては、下記化合物が好ましく挙げられる。
H-Ph-CH(CH3)-CH2-Ph-H 、
H-Ph-CH(CH3)-CH2-Ph-OCH3、
H-Ph-CH(CH3)-CH2-Ph-OC6H13、
H-Ph-CH(CH3)-CH2-Ph-C4H9、
H-Ph-CH(CH3)-CH2-Ph-CH2OC2H5、
H-Ph-CH(CH3)-CH2-Ph-CH2CH2CH=CHCH3、
H-Ph-CH(CH3)-CH2-Ph-C ≡CCH3、
H-Ph-CH(CH3)-CH2-Ph-CF3 、
H-Ph-CH(CH3)-CH2-Ph-OCF3、
H-Ph-CH(CH3)-CH2-Ph-OCH2CF3 、
H-Ph-CH(CH3)-CH2-Ph-F 、
H-Ph-CH(CH3)-CH2-Ph-Cl、
H-Ph-CH(CH3)-CH2-Ph-CN、
H-Ph-CH(CH3)-CH2-PhF-F、
H-Ph-CH(CH3)-CH2-Ph2F-F 。
【手続補正５】
【補正対象書類名】明細書
【補正対象項目名】００２０
【補正方法】変更
【補正の内容】
【００２０】
化合物（式２Ｂ）の具体例としては、下記化合物が好ましく挙げられる。
H-Ph-CHF-CH2-Ph-H 、
H-Ph-CHF-CH2-Ph-OCH3、
H-Ph-CHF-CH2-Ph-OC6H13、
H-Ph-CHF-CH2-Ph-C4H9、
H-Ph-CHF-CH2-Ph-CH2OC2H5、
H-Ph-CHF-CH2-Ph-CH2CH2CH=CHCH3、
H-Ph-CHF-CH2-Ph-C ≡CCH3、
H-Ph-CHF-CH2-Ph-CF3 、
H-Ph-CHF-CH2-Ph-OCF3、
H-Ph-CHF-CH2-Ph-OCH2CF3 、
H-Ph-CHF-CH2-Ph-F 、
H-Ph-CHF-CH2-Ph-Cl、
H-Ph-CHF-CH2-Ph-CN、
H-Ph-CHF-CH2-PhF-F、
H-Ph-CHF-CH2-Ph2F-F 。
【手続補正６】
【補正対象書類名】明細書
【補正対象項目名】００２１
【補正方法】変更
【補正の内容】
【００２１】
化合物（式２Ｃ）の具体例としては、下記化合物が好ましく挙げられる。
H-Ph-CH(CF3)-CH2-Ph-H 、
H-Ph-CH(CF3)-CH2-Ph-OCH3、
H-Ph-CH(CF3)-CH2-Ph-OC6H13、
H-Ph-CH(CF3)-CH2-Ph-C4H9、
H-Ph-CH(CF3)-CH2-Ph-CH2OC2H5、
H-Ph-CH(CF3)-CH2-Ph-CH2CH2CH=CHCH3、
H-Ph-CH(CF3)-CH2-Ph-C ≡CCH3、
H-Ph-CH(CF3)-CH2-Ph-CF3 、
H-Ph-CH(CF3)-CH2-Ph-OCF3、
H-Ph-CH(CF3)-CH2-Ph-OCH2CF3 、
H-Ph-CH(CF3)-CH2-Ph-F 、
H-Ph-CH(CF3)-CH2-Ph-Cl、
H-Ph-CH(CF3)-CH2-Ph-CN、
H-Ph-CH(CF3)-CH2-PhF-F、
H-Ph-CH(CF3)-CH2-Ph2F-F 。
【手続補正７】
【補正対象書類名】明細書
【補正対象項目名】００２２
【補正方法】変更
【補正の内容】
【００２２】
化合物（式３Ａ）の具体例としては、下記化合物が好ましく挙げられる。
H-Ph-CH(CH3)-CH2-Cy-H 、
H-Ph-CH(CH3)-CH2-Cy-OCH3、
H-Ph-CH(CH3)-CH2-Cy-OC6H13、
H-Ph-CH(CH3)-CH2-Cy-C4H9、
H-Ph-CH(CH3)-CH2-Cy-CH2OC2H5、
H-Ph-CH(CH3)-CH2-Cy-CH2CH2CH=CHCH3、
H-Ph-CH(CH3)-CH2-Cy-C ≡CCH3、
H-Ph-CH(CH3)-CH2-Cy-CF3 、
H-Ph-CH(CH3)-CH2-Cy-OCF3。
【手続補正８】
【補正対象書類名】明細書
【補正対象項目名】００２３
【補正方法】変更
【補正の内容】
【００２３】
化合物（式３Ｂ）の具体例としては、下記化合物が好ましく挙げられる。
H-Ph-CHF-CH2-Cy-H 、
H-Ph-CHF-CH2-Cy-OCH3、
H-Ph-CHF-CH2-Cy-OC6H13、
H-Ph-CHF-CH2-Cy-C4H9、
H-Ph-CHF-CH2-Cy-CH2OC2H5、
H-Ph-CHF-CH2-Cy-CH2CH2CH=CHCH3、
H-Ph-CHF-CH2-Cy-C ≡CCH3、
H-Ph-CHF-CH2-Cy-CF3 、
H-Ph-CHF-CH2-Cy-OCF3。
【手続補正９】
【補正対象書類名】明細書
【補正対象項目名】００２４
【補正方法】変更
【補正の内容】
【００２４】
化合物（式３Ｃ）の具体例としては、下記化合物が好ましく挙げられる。
H-Ph-CH(CF3)-CH2-Cy-H 、
H-Ph-CH(CF3)-CH2-Cy-OCH3、
H-Ph-CH(CF3)-CH2-Cy-OC6H13、
H-Ph-CH(CF3)-CH2-Cy-C4H9、
H-Ph-CH(CF3)-CH2-Cy-CH2OC2H5、
H-Ph-CH(CF3)-CH2-Cy-CH2CH2CH=CHCH3、
H-Ph-CH(CF3)-CH2-Cy-C ≡CCH3、
H-Ph-CH(CF3)-CH2-Cy-CF3 、
H-Ph-CH(CF3)-CH2-Cy-OCF3。
【手続補正１０】
【補正対象書類名】明細書
【補正対象項目名】００２６
【補正方法】変更
【補正の内容】
【００２６】
化合物（式４Ａ）の具体例としては、下記化合物が好ましく挙げられる。
H-Ph-CH(CH3)-CH2-Ph-Ph-H、
H-Ph-CH(CH3)-CH2-Ph-Ph-OCH3 、
H-Ph-CH(CH3)-CH2-Ph-Ph-OC6H13 、
H-Ph-CH(CH3)-CH2-Ph-Ph-C4H9 、
H-Ph-CH(CH3)-CH2-Ph-Ph-CH2OC2H5 、
H-Ph-CH(CH3)-CH2-Ph-Ph-CH2CH2CH=CHCH3、
H-Ph-CH(CH3)-CH2-Ph-Ph-C≡CCH3、
H-Ph-CH(CH3)-CH2-Ph-Ph-CF3、
H-Ph-CH(CH3)-CH2-Ph-Ph-OCF3 、
H-Ph-CH(CH3)-CH2-Ph-Ph-OCH2CF3、
H-Ph-CH(CH3)-CH2-Ph-Ph-F、
H-Ph-CH(CH3)-CH2-Ph-Ph-Cl 、
H-Ph-CH(CH3)-CH2-Ph-Ph-CN 、
H-Ph-CH(CH3)-CH2-Ph-PhF-F 、
H-Ph-CH(CH3)-CH2-Ph-Ph2F-F。
【手続補正１１】
【補正対象書類名】明細書
【補正対象項目名】００２７
【補正方法】変更
【補正の内容】
【００２７】
化合物（式４Ｂ）の具体例としては、下記化合物が好ましく挙げられる。
H-Ph-CHF-CH2-Ph-Ph-H、
H-Ph-CHF-CH2-Ph-Ph-OCH3 、
H-Ph-CHF-CH2-Ph-Ph-OC6H13 、
H-Ph-CHF-CH2-Ph-Ph-C4H9 、
H-Ph-CHF-CH2-Ph-Ph-CH2OC2H5 、
H-Ph-CHF-CH2-Ph-Ph-CH2CH2CH=CHCH3、
H-Ph-CHF-CH2-Ph-Ph-C≡CCH3、
H-Ph-CHF-CH2-Ph-Ph-CF3、
H-Ph-CHF-CH2-Ph-Ph-OCF3 、
H-Ph-CHF-CH2-Ph-Ph-OCH2CF3、
H-Ph-CHF-CH2-Ph-Ph-F、
H-Ph-CHF-CH2-Ph-Ph-Cl 、
H-Ph-CHF-CH2-Ph-Ph-CN 、
H-Ph-CHF-CH2-Ph-PhF-F 、
H-Ph-CHF-CH2-Ph-Ph2F-F。
【手続補正１２】
【補正対象書類名】明細書
【補正対象項目名】００２８
【補正方法】変更
【補正の内容】
【００２８】
化合物（式４Ｃ）の具体例としては、下記化合物が好ましく挙げられる。
H-Ph-CH(CF3)-CH2-Ph-Ph-H、
H-Ph-CH(CF3)-CH2-Ph-Ph-OCH3 、
H-Ph-CH(CF3)-CH2-Ph-Ph-OC6H13 、
H-Ph-CH(CF3)-CH2-Ph-Ph-C4H9 、
H-Ph-CH(CF3)-CH2-Ph-Ph-CH2OC2H5 、
H-Ph-CH(CF3)-CH2-Ph-Ph-CH2CH2CH=CHCH3、
H-Ph-CH(CF3)-CH2-Ph-Ph-C≡CCH3、
H-Ph-CH(CF3)-CH2-Ph-Ph-CF3、
H-Ph-CH(CF3)-CH2-Ph-Ph-OCF3 、
H-Ph-CH(CF3)-CH2-Ph-Ph-OCH2CF3、
H-Ph-CH(CF3)-CH2-Ph-Ph-F、
H-Ph-CH(CF3)-CH2-Ph-Ph-Cl 、
H-Ph-CH(CF3)-CH2-Ph-Ph-CN 、
H-Ph-CH(CF3)-CH2-Ph-PhF-F 、
H-Ph-CH(CF3)-CH2-Ph-Ph2F-F。
【手続補正１３】
【補正対象書類名】明細書
【補正対象項目名】００２９
【補正方法】変更
【補正の内容】
【００２９】
化合物（式５Ａ）の具体例としては、下記化合物が好ましく挙げられる。
H-Ph-CH(CH3)-CH2-Ph-Cy-H、
H-Ph-CH(CH3)-CH2-Ph-Cy-C3H7 、
H-Ph-CH(CH3)-CH2-Ph-Cy-OCH3 、
H-Ph-CH(CH3)-CH2-Ph-Cy-CH2OC2H5 、
H-Ph-CH(CH3)-CH2-Ph-Cy-CH2CH2CH=CHCH3、
H-Ph-CH(CH3)-CH2-Ph-Cy-C≡CCH3、
H-Ph-CH(CH3)-CH2-Ph-Cy-CF3、
H-Ph-CH(CH3)-CH2-Ph-Cy-OCF3 。
【手続補正１４】
【補正対象書類名】明細書
【補正対象項目名】００３０
【補正方法】変更
【補正の内容】
【００３０】
化合物（式５Ｂ）の具体例としては、下記化合物が好ましく挙げられる。
H-Ph-CHF-CH2-Ph-Cy-H、
H-Ph-CHF-CH2-Ph-Cy-C3H7 、
H-Ph-CHF-CH2-Ph-Cy-OCH3 、
H-Ph-CHF-CH2-Ph-Cy-CH2OC2H5 、
H-Ph-CHF-CH2-Ph-Cy-CH2CH2CH=CHCH3、
H-Ph-CHF-CH2-Ph-Cy-C≡CCH3、
H-Ph-CHF-CH2-Ph-Cy-CF3、
H-Ph-CHF-CH2-Ph-Cy-OCF3 。
【手続補正１５】
【補正対象書類名】明細書
【補正対象項目名】００３１
【補正方法】変更
【補正の内容】
【００３１】
化合物（式５Ｃ）の具体例としては、下記化合物が好ましく挙げられる。
H-Ph-CH(CF3)-CH2-Ph-Cy-H、
H-Ph-CH(CF3)-CH2-Ph-Cy-C3H7 、
H-Ph-CH(CF3)-CH2-Ph-Cy-OCH3 、
H-Ph-CH(CF3)-CH2-Ph-Cy-CH2OC2H5 、
H-Ph-CH(CF3)-CH2-Ph-Cy-CH2CH2CH=CHCH3、
H-Ph-CH(CF3)-CH2-Ph-Cy-C≡CCH3、
H-Ph-CH(CF3)-CH2-Ph-Cy-CF3、
H-Ph-CH(CF3)-CH2-Ph-Cy-OCF3 。
【手続補正１６】
【補正対象書類名】明細書
【補正対象項目名】００３２
【補正方法】変更
【補正の内容】
【００３２】
化合物（式６Ａ）の具体例としては、下記化合物が好ましく挙げられる。
H-Ph-CH(CH3)-CH2-Cy-Ph-H、
H-Ph-CH(CH3)-CH2-Cy-Ph-OCH3 、
H-Ph-CH(CH3)-CH2-Cy-Ph-OC6H13 、
H-Ph-CH(CH3)-CH2-Cy-Ph-C4H9 、
H-Ph-CH(CH3)-CH2-Cy-Ph-CH2OC2H5 、
H-Ph-CH(CH3)-CH2-Cy-Ph-CH2CH2CH=CHCH3、
H-Ph-CH(CH3)-CH2-Cy-Ph-C≡CCH3、
H-Ph-CH(CH3)-CH2-Cy-Ph-CF3、
H-Ph-CH(CH3)-CH2-Cy-Ph-OCF3 、
H-Ph-CH(CH3)-CH2-Cy-Ph-OCH2CF3、
H-Ph-CH(CH3)-CH2-Cy-Ph-F、
H-Ph-CH(CH3)-CH2-Cy-Ph-Cl 、
H-Ph-CH(CH3)-CH2-Cy-Ph-CN 、
H-Ph-CH(CH3)-CH2-Cy-PhF-F 、
H-Ph-CH(CH3)-CH2-Cy-Ph2F-F。
【手続補正１７】
【補正対象書類名】明細書
【補正対象項目名】００３３
【補正方法】変更
【補正の内容】
【００３３】
化合物（式６Ｂ）の具体例としては、下記化合物が好ましく挙げられる。
H-Ph-CHF-CH2-Cy-Ph-H、
H-Ph-CHF-CH2-Cy-Ph-OCH3 、
H-Ph-CHF-CH2-Cy-Ph-OC6H13 、
H-Ph-CHF-CH2-Cy-Ph-C4H9 、
H-Ph-CHF-CH2-Cy-Ph-CH2OC2H5 、
H-Ph-CHF-CH2-Cy-Ph-CH2CH2CH=CHCH3、
H-Ph-CHF-CH2-Cy-Ph-C≡CCH3、
H-Ph-CHF-CH2-Cy-Ph-CF3、
H-Ph-CHF-CH2-Cy-Ph-OCF3 、
H-Ph-CHF-CH2-Cy-Ph-OCH2CF3、
H-Ph-CHF-CH2-Cy-Ph-F、
H-Ph-CHF-CH2-Cy-Ph-Cl 、
H-Ph-CHF-CH2-Cy-Ph-CN 、
H-Ph-CHF-CH2-Cy-PhF-F 、
H-Ph-CHF-CH2-Cy-Ph2F-F。
【手続補正１８】
【補正対象書類名】明細書
【補正対象項目名】００３４
【補正方法】変更
【補正の内容】
【００３４】
化合物（式６Ｃ）の具体例としては、下記化合物が好ましく挙げられる。
H-Ph-CH(CF3)-CH2-Cy-Ph-H、
H-Ph-CH(CF3)-CH2-Cy-Ph-OCH3 、
H-Ph-CH(CF3)-CH2-Cy-Ph-OC6H13 、
H-Ph-CH(CF3)-CH2-Cy-Ph-C4H9 、
H-Ph-CH(CF3)-CH2-Cy-Ph-CH2OC2H5 、
H-Ph-CH(CF3)-CH2-Cy-Ph-CH2CH2CH=CHCH3、
H-Ph-CH(CF3)-CH2-Cy-Ph-C≡CCH3、
H-Ph-CH(CF3)-CH2-Cy-Ph-CF3、
H-Ph-CH(CF3)-CH2-Cy-Ph-OCF3 、
H-Ph-CH(CF3)-CH2-Cy-Ph-OCH2CF3、
H-Ph-CH(CF3)-CH2-Cy-Ph-F、
H-Ph-CH(CF3)-CH2-Cy-Ph-Cl 、
H-Ph-CH(CF3)-CH2-Cy-Ph-CN 、
H-Ph-CH(CF3)-CH2-Cy-PhF-F 、
H-Ph-CH(CF3)-CH2-Cy-Ph2F-F。
【手続補正１９】
【補正対象書類名】明細書
【補正対象項目名】００３５
【補正方法】変更
【補正の内容】
【００３５】
化合物（式７Ａ）の具体例としては、下記化合物が好ましく挙げられる。
H-Ph-CH(CH3)-CH2-Cy-Cy-H、
H-Ph-CH(CH3)-CH2-Cy-Cy-C3H7 、
H-Ph-CH(CH3)-CH2-Cy-Cy-OCH3 、
H-Ph-CH(CH3)-CH2-Cy-Cy-CH2OC2H5 、
H-Ph-CH(CH3)-CH2-Cy-Cy-CH2CH2CH=CHCH3 、
H-Ph-CH(CH3)-CH2-Cy-Cy-C≡CCH3、
H-Ph-CH(CH3)-CH2-Cy-Cy-CF3、
H-Ph-CH(CH3)-CH2-Cy-Cy-OCF3 。
【手続補正２０】
【補正対象書類名】明細書
【補正対象項目名】００３６
【補正方法】変更
【補正の内容】
【００３６】
化合物（式７Ｂ）の具体例としては、下記化合物が好ましく挙げられる。
H-Ph-CHF-CH2-Cy-Cy-H、
H-Ph-CHF-CH2-Cy-Cy-C3H7 、
H-Ph-CHF-CH2-Cy-Cy-OCH3 、
H-Ph-CHF-CH2-Cy-Cy-CH2OC2H5 、
H-Ph-CHF-CH2-Cy-Cy-CH2CH2CH=CHCH3、
H-Ph-CHF-CH2-Cy-Cy-C≡CCH3、
H-Ph-CHF-CH2-Cy-Cy-CF3、
H-Ph-CHF-CH2-Cy-Cy-OCF3 。
【手続補正２１】
【補正対象書類名】明細書
【補正対象項目名】００３７
【補正方法】変更
【補正の内容】
【００３７】
化合物（式７Ｃ）の具体例としては、下記化合物が好ましく挙げられる。
H-Ph-CH(CF3)-CH2-Cy-Cy-H、
H-Ph-CH(CF3)-CH2-Cy-Cy-C3H7 、
H-Ph-CH(CF3)-CH2-Cy-Cy-OCH3 、
H-Ph-CH(CF3)-CH2-Cy-Cy-CH2OC2H5 、
H-Ph-CH(CF3)-CH2-Cy-Cy-CH2CH2CH=CHCH3、
H-Ph-CH(CF3)-CH2-Cy-Cy-C≡CCH3、
H-Ph-CH(CF3)-CH2-Cy-Cy-CF3、
H-Ph-CH(CF3)-CH2-Cy-Cy-OCF3 。
【手続補正２２】
【補正対象書類名】明細書
【補正対象項目名】００５７
【補正方法】変更
【補正の内容】
【００５７】
例１または例２と同様にして、以下の化合物が得られる。
(S)-(+)-H-Ph-CH(CH3)-CH2-Ph-H 、
(S)-(+)-H-Ph-CH(CH3)-CH2-Ph-C4H9、
(S)-(+)-H-Ph-CH(CH3)-CH2-Ph-CH2OC2H5、
(S)-(+)-H-Ph-CH(CH3)-CH2-Ph-CH2CH2CH=CHCH3、
(S)-(+)-H-Ph-CH(CH3)-CH2-Ph-C ≡CCH3、
(S)-(+)-H-Ph-CH(CH3)-CH2-Ph-CF3 、
(S)-(+)-H-Ph-CH(CH3)-CH2-Ph-OCF3、
(S)-(+)-H-Ph-CH(CH3)-CH2-Ph-OCH2CF3 、
(S)-(+)-H-Ph-CH(CH3)-CH2-Ph-F 、
(S)-(+)-H-Ph-CH(CH3)-CH2-Ph-Cl、
(S)-(+)-H-Ph-CH(CH3)-CH2-Ph-CN、
(S)-(+)-H-Ph-CH(CH3)-CH2-PhF-F、
(S)-(+)-H-Ph-CH(CH3)-CH2-Ph2F-F 。
【手続補正２３】
【補正対象書類名】明細書
【補正対象項目名】００６６
【補正方法】変更
【補正の内容】
【００６６】
例３または例４と同様にして、以下の化合物が得られる。
(R)-(-)-H-Ph-CH(CH3)-CH2-Ph-H 、
(R)-(-)-H-Ph-CH(CH3)-CH2-Ph-OC6H13、
(R)-(-)-H-Ph-CH(CH3)-CH2-Ph-C3H7、
(R)-(-)-H-Ph-CH(CH3)-CH2-Ph-CH2OC2H5、
(R)-(-)-H-Ph-CH(CH3)-CH2-Ph-CH2CH2CH=CHCH3、
(R)-(-)-H-Ph-CH(CH3)-CH2-Ph-C ≡CCH3、
(R)-(-)-H-Ph-CH(CH3)-CH2-Ph-CF3 、
(R)-(-)-H-Ph-CH(CH3)-CH2-Ph-OCF3、
(R)-(-)-H-Ph-CH(CH3)-CH2-Ph-OCH2CF3 、
(R)-(-)-H-Ph-CH(CH3)-CH2-Ph-F 、
(R)-(-)-H-Ph-CH(CH3)-CH2-Ph-Cl、
(R)-(-)-H-Ph-CH(CH3)-CH2-Ph-CN、
(R)-(-)-H-Ph-CH(CH3)-CH2-PhF-F、
(R)-(-)-H-Ph-CH(CH3)-CH2-Ph2F-F 。
【手続補正２４】
【補正対象書類名】明細書
【補正対象項目名】００７１
【補正方法】変更
【補正の内容】
【００７１】
例５と同様にして、以下の化合物が得られる。
(R)-(-)-H-Ph-CH(CH3)-CH2-Cy-C3H7、
(R)-(-)-H-Ph-CH(CH3)-CH2-Cy-OCH3、
(R)-(-)-H-Ph-CH(CH3)-CH2-Cy-CH2OC2H5、
(R)-(-)-H-Ph-CH(CH3)-CH2-Cy-CH2CH2CH=CHCH3、
(R)-(-)-H-Ph-CH(CH3)-CH2-Cy-C ≡CCH3、
(R)-(-)-H-Ph-CH(CH3)-CH2-Cy-CF3 、
(R)-(-)-H-Ph-CH(CH3)-CH2-Cy-OCF3。
【手続補正２５】
【補正対象書類名】明細書
【補正対象項目名】００７４
【補正方法】変更
【補正の内容】
【００７４】
例６と同様にして、以下の化合物が得られる。
(S)-H-Ph-CH(CF3)-CH2-Ph-H 、
(S)-H-Ph-CH(CF3)-CH2-Ph-C4H9、
(S)-H-Ph-CH(CF3)-CH2-Ph-CH2OC2H5、
(S)-H-Ph-CH(CF3)-CH2-Ph-CH2CH2CH=CHCH3、
(S)-H-Ph-CH(CF3)-CH2-Ph-C ≡CCH3、
(S)-H-Ph-CH(CF3)-CH2-Ph-CF3 、
(S)-H-Ph-CH(CF3)-CH2-Ph-OCF3、
(S)-H-Ph-CH(CF3)-CH2-Ph-OCH2CF3 、
(S)-H-Ph-CH(CF3)-CH2-Ph-F 、
(S)-H-Ph-CH(CF3)-CH2-Ph-Cl、
(S)-H-Ph-CH(CF3)-CH2-Ph-CN、
(S)-H-Ph-CH(CF3)-CH2-PhF-F、
(S)-H-Ph-CH(CF3)-CH2-Ph2F-F 。
【手続補正２６】
【補正対象書類名】明細書
【補正対象項目名】００７７
【補正方法】変更
【補正の内容】
【００７７】
例７と同様にして、以下の化合物が得られる。
(S)-H-Ph-CHF-CH2-Ph-H 、
(S)-H-Ph-CHF-CH2-Ph-C4H9、
(S)-H-Ph-CHF-CH2-Ph-CH2OC2H5、
(S)-H-Ph-CHF-CH2-Ph-CH2CH2CH=CHCH3、
(S)-H-Ph-CHF-CH2-Ph-C ≡CCH3、
(S)-H-Ph-CHF-CH2-Ph-CF3 、
(S)-H-Ph-CHF-CH2-Ph-OCF3、
(S)-H-Ph-CHF-CH2-Ph-OCH2CF3 、
(S)-H-Ph-CHF-CH2-Ph-F 、
(S)-H-Ph-CHF-CH2-Ph-Cl、
(S)-H-Ph-CHF-CH2-Ph-CN、
(S)-H-Ph-CHF-CH2-PhF-F、
(S)-H-Ph-CHF-CH2-Ph2F-F 。